(57)【要約】【課題】トラクタが長いも掘取り装置を牽引する際に受ける土からの抵抗力を軽減する。【解決手段】長いもの両側部の栽培土をトラクタの前進に従って掘り起こす１対の鋤部材と、前記１対の鋤部材の下部に回動自在に連結され、前部が刃部を形成し後部が上方に傾斜して配設された掘取り刃体とを有する長いも堀取り装置において、前記掘取り刃体と鋤部材との連結が１対の連結バーによって行われるものであり、前記連結バーの一端が前記鋤部材の下端に固着され、かつ、前記連結バーの他端が前記掘取り刃体の裏面に設けられた支軸に回動自在に装着されるとともに、前記連結バーが前記掘取り刃体の裏面に完全に隠れるように配設する。【選択図】図１
2006025601.tif 000002
【特許請求の範囲】
【請求項１】
トラクタの後部に連結され、長いもの両側部の栽培土をトラクタの前進に従って掘り起こす１対の鋤部材と、前記１対の鋤部材の下部に回動自在に連結され、前部が刃部を形成し後部が上方に傾斜して配設された掘取り刃体とを有する長いも堀取り装置において、
前記掘取り刃体と鋤部材との連結が１対の連結バーによって行われるものであり、前記連結バーの一端が前記鋤部材の下端に固着され、かつ、前記連結バーの他端が前記掘取り刃体の裏面に設けられた支軸に回動自在に装着されるとともに、
前記連結バーが前記掘り取り刃体の裏面に完全に隠れるように配設されることを特徴とする長いも堀取り装置。
【請求項２】
前記掘り取り刃体の後部が無端パワーベルトコンベアで構成されていることを特徴とする請求項１に記載の長いも堀取り装置。
【請求項３】
前記掘り取り刃体を上下に揺動する揺動手段を備えている請求項１又は２に記載の長いも堀取り装置。
【請求項４】
前記掘取り刃体の刃部が、該刃部を除く掘取り刃体の本体部分に対して５度乃至２０度の傾斜をもって取り付けられていることを特徴とする請求項１乃至３のいずれかに記載の長いも堀取り装置。
【発明の詳細な説明】
【技術分野】
【０００１】
本発明は、トラクタに連結されて牽引され、１対の鋤部材で長いもの両側部の栽培土を掘り起こすと共に、後部が上方へ傾斜した掘り取り刃体によって、長いもを損傷させることなく迅速にかつスムーズに掘り取ることができる、長いもの掘取り装置の改良に関するものである。
【背景技術】
【０００２】
長いもの掘取り装置は従来種々提案されているが、後部が上方へ傾斜した掘取り刃体によって長いもを保護・保持した栽培土ブロックを順次上方へ浮上させるものにあっては、掘取り刃体の上面と栽培土ブロックの下面との摩擦力に抗するトラクタのけん引力を要する。このため、図５に示すように、掘取り刃体１０は栽培土中を掘り起こして進む前部の刃部１１と、刃部１１に接続されて回転自在になっている後部の無端ベルトコンベア１２とで構成され、無端ベルトコンベア１２の上面と栽培土ブロックの下面との摩擦力により誘発される無端ベルトコンベア１２の自転によって、栽培土ブロックを後方へ移動させると共に、刃部１１及び無端ベルトコンベア１２の接続部の支軸１３を支点として、掘取り刃体１０後方部の無端ベルトコンベア１２を図示Ａのように支持バー１４を上下させることにより円弧運動（揺動）させるものが提案されている（例えば特許文献１参照）。
【０００３】
また、図６に示すように、前記掘り取り刃体１０が無端ベルトコンベアではなく、表面に摩擦抵抗の少ない部材が敷設された平板で構成されたものも使用されている。
しかしながら、上述のような構造の長いもの掘取り装置には以下のような問題点があった。すなわち、前記長いも掘取り装置を牽引するトラクタが、作業中に栽培土から受ける抵抗は大きく分けると二つある。一つは１対の鋤部材１５が長いもの両側部の栽培土を切る際に受ける抵抗、他は掘取り刃体１０が栽培土を掘り起こす際に受ける抵抗である。
【０００４】
ところで、トラクタの作業前進に伴い発生する鋤部材１５への土圧は、表土に近い部分では小さく、土中深部では大きくなるということが知られている。しかるに、上面に栽培土が載り重くなっている掘取り刃体１０を、支持バー１４の上下動によって揺動させるためには支持バー１４と支軸１３との距離L（図６参照）を大きくとる必要があるため、支軸１３は掘取り刃体１０の前部（刃部１１の後ろ）に設けられている。支軸１３には鋤部材１５の先端が連結されており、このため、刃部１１が土中深く入ると鋤部材１５も深く入るため、大きな抵抗を受けることとなる。従って、支軸１３の位置を掘取り刃体１０の前部に設けたままで、鋤部材１５が土中深く入らないようにする工夫が求められている。
【０００５】
また、図５又は図６に示すように、従来は掘取り刃体１０の前部と刃部１１は水平面に対してほぼ等しい角度で連結されているため、掘り取り刃体１０が前下がりに傾斜したまま前方に進むと、刃部１１も同様の傾斜で（掘りながら）進むことになるため、大きな抵抗を受ける。土中深部においてはこの抵抗はさらに大きくなる。
以上のように、従来は長いも掘取り装置を牽引するトラクタが進行中に大きな抵抗力を受けるため、大きなパワーのトラクタを使用する必要があり、農家の経済的負担は過度なものとなっていた。
【特許文献１】特開２０００−２０１５１４号公報
【発明の開示】
【発明が解決しようとする課題】
【０００６】
本発明は上記のような事情に鑑みなされたものであり、本発明の目的は、トラクタが長いも掘取り装置を牽引する際に受ける土からの抵抗力を軽減することにより、比較的小さなパワーのトラクタでも牽引が可能な長いも掘取り装置を提供することにある。
【課題を解決するための手段】
【０００７】
本発明は長いも掘取り装置に関し、本発明の上記目的は、トラクタの後部に連結され、長いもの両側部の栽培土をトラクタの前進に従って掘り起こす１対の鋤部材と、前記１対の鋤部材の下部に回動自在に連結され、前部が刃部を形成し後部が上方に傾斜して配設された掘取り刃体とを有する長いも堀取り装置において、前記掘取り刃体と鋤部材との連結が１対の連結バーによって行われるものであり、前記連結バーの一端が前記鋤部材の下端に固着され、かつ、前記連結バーの他端が前記掘取り刃体の裏面に設けられた支軸に回動自在に装着されるとともに、前記連結バーが前記掘取り刃体の裏面に完全に隠れるように配設されることを特徴とする長いも堀取り装置によって達成される。
【０００８】
また、本発明の上記目的は、前記掘取り刃体の後部を無端パワーベルトコンベアで構成することにより、或いは、前記掘取り刃体を上下に揺動する揺動手段を備えることにより、効果的に達成される。
さらに、本発明の上記目的は、前記掘取り刃体の刃部が、該刃部を除く掘取り刃体の本体部分に対して５度乃至２０度の傾斜をもって取り付けられていることを特徴とする前記長いも堀取り装置によって、一層効果的に達成される。
【発明の効果】
【０００９】
本発明に係る長いも堀取り装置によれば、トラクタが長いも掘取り装置を牽引する際に受ける土からの抵抗力が軽減されるので、比較的小さなパワーのトラクタでも牽引が可能となる。
【発明を実施するための最良の形態】
【００１０】
本発明に係る長いも掘取り装置について図面を参照しつつ詳細に説明する。
図１は本発明に係る長いも掘取り装置の側面の外観を示す図である。図１において、１０は掘取り刃体であり、刃部１１で掘り取った栽培土（長いもを含む。）を上面に載せ、トラクタの前進に伴って栽培土を後方上方に押し上げる働きをするものである。また、１５は長いもの両側部の栽培土を掘り起こす１対の鋤部材であり、断面が鋭角形状をしている（特許文献１、図２参照）。鋤部材１５の下端には連結バー１６の一端が接続されており、さらに、前記連結バー１６の他端は、前記掘取り刃体１０の裏側に設けられている支軸１３を介して回動自在に軸支されている。また、前記掘取り刃体１０は支持バー１４を上下動させることにより、支軸１３を支点として揺動（円弧運動）するようになっている。なお、揺動させるための手段は上記特許文献１に記載のものが利用できる。
このように、前記鋤部材１５が連結バー１６を介して支軸１３に軸支されているため、従来の掘取り装置（図６）のように鋤部材１５が土中深く入らず、土から受ける抵抗が少なくなる。また、刃部１１が掘取り刃体１０の本体部分に対して５〜２０度上方に傾いて取り付けられているので、刃部１１で掘り進むときに刃部１１を進行方向に対して平行になるように掘取り刃体１０の傾きを調整することが可能となるので、刃部１１が受ける土からの抵抗を少なくすることができる。
【００１１】
図２は、本発明に係る長いも掘取り装置を正面から見たときの外観図である。図２に示すように、連結バー１６は掘取り刃体１０の裏側にすっぽりと隠れるように配設されているので、連結バー１６自身が土の抵抗を受けることがない。
【００１２】
図３は本発明に係る長いも掘取り装置を裏面から見たときの外観図である。支軸１３に連結バー１６が軸支されていることを明確に示している。
【００１３】
図４は本発明に係る長いも掘取り装置の第２実施例の側面の外観を示す図である。すなわち、前記掘取り刃体１０に無端ベルトコンベア１２が設けられたものであるが、その他の構成は図１に示す第１実施例のものと同様であるので、説明は省略する。
なお、無端ベルトコンベアの作用・効果については上記特許文献１に詳細に記載されているので、ここでは説明を省略する。
また、本願発明は長いも掘取り装置という名称を用いているが、本装置は長いもの掘取りにのみ用いられるものではなく、牛蒡等の根菜類一般の掘取りにも利用できるものである。
【図面の簡単な説明】
【００１４】
【図１】本発明に係る長いも掘取り装置の第１実施例の側面の外観を示す図である。
【図２】本発明に係る長いも掘取り装置の第１実施例の正面の外観を示す図である。
【図３】本発明に係る長いも掘取り装置の第１実施例の裏面の外観を示す図である。
【図４】本発明に係る長いも掘取り装置の第２実施例の側面の外観を示す図である。
【図５】従来の長いも掘取り装置の実施例の側面の外観を示す図である。
【図６】従来の長いも掘取り装置の他の実施例の側面の外観を示す図である。
【符号の説明】
【００１５】
１０  掘取り刃体
１１  刃部
１２  無端ベルトコンベア
１３  支軸
１４  支持バー
１５  鋤部材
１６  連結バー
【図１】
2006025601.tif 000003
【図２】
2006025601.tif 000004
【図３】
2006025601.tif 000005
【図４】
2006025601.tif 000006
【図５】
2006025601.tif 000007
【図６】
2006025601.tif 000008